(57)【要約】【課題】金庫壁を厚くしても、連結搬送部に滞留した紙幣の除去を容易とする紙幣取扱装置を提供する。【解決手段】現金自動取引装置に搭載される紙幣取扱装置であって、金属製の筺体で構成された金庫と、前記金庫の外部に設けられ、投入された紙幣又は提供される紙幣が収納される接客口を備える上部ユニットと、前記金庫の内部に設けられ、紙幣を収納する紙幣収納庫を備える下部ユニットと、紙幣が搬送される搬送路と、を備え、前記搬送路は、前記金庫の開口部を貫通すると共に、前記金庫の外部又は内部に退避する連結搬送部を有する。【選択図】図５
2015225621.tif 000002
【特許請求の範囲】
【請求項１】
現金自動取引装置に搭載される紙幣取扱装置であって、
金属製の筺体で構成された金庫と、
前記金庫の外部に設けられ、投入された紙幣又は提供される紙幣が収納される接客口を備える上部ユニットと、
前記金庫の内部に設けられ、紙幣を収納する紙幣収納庫を備える下部ユニットと、
紙幣が搬送される搬送路と、を備え、
前記搬送路は、前記金庫の開口部を貫通すると共に、前記金庫の外部又は内部に退避する連結搬送部を有することを特徴とする紙幣取扱装置。
【請求項２】
請求項１記載の紙幣取扱装置であって、
前記上部ユニットは、前記連結搬送部が前記金庫の外部に退避された状態で、前記下部ユニットに対して引き出される紙幣取扱装置。
【請求項３】
請求項１記載の紙幣取扱装置であって、
前記下部ユニットは、前記連結搬送部が前記金庫の内部に退避された状態で、前記上部部ユニットに対して引き出される紙幣取扱装置。
【請求項４】
請求項２または３記載の紙幣取扱装置であって、
前記連結搬送部は、該連結搬送部の前記金庫の外部又は内部への退避と、前記上部ユニット又は下部ユニットの引き出しとの一括操作に供される操作部を備える紙幣取扱装置。
【請求項５】
請求項１記載の紙幣取扱装置であって、
前記下部ユニットは、取引において紙幣を一時的に保管する一時保管庫と、紙幣の判別を実行する判別部とを備える紙幣取扱装置。
【請求項６】
請求項１記載の紙幣取扱装置であって、
前記連結搬送部の退避方向に力を付与する補助手段を備える紙幣取扱装置。
【請求項７】
請求項１記載の紙幣取扱装置であって、
前記連結搬送部と連結され、紙幣を搬送する後搬送部を備え、
前記連結搬送部と前記後搬送部とは、連結時に紙幣の搬送方向が同一になるように配置され、かつ前記連結搬送部の退避方向と、前記紙幣の搬送方向とが同一になる紙幣取扱装置。
【請求項８】
請求項７記載の紙幣取扱装置であって、
前記連結搬送部は、前記後搬送部との位置規制部である第一の位置規制部を備え、
前記後搬送部は、前記連結搬送部との位置規制部である第二の位置規制部を備えている紙幣取扱装置。
【請求項９】
請求項１記載の紙幣取扱装置であって、
前記連結搬送部は、紙幣を上下方向に搬送する第一の搬送部と、紙幣を水平方向に搬送する第二の搬送部とを備え、
前記第一の搬送部のみを退避させる構成である紙幣取扱装置。
【発明の詳細な説明】
【技術分野】
【０００１】
本発明は、紙幣取扱装置に関する。
【背景技術】
【０００２】
紙幣取扱装置は、金融機関、小売店舗、駅の構内等に設置され、利用者自身の操作によって取引が実行される現金自動預払機（Ａｕｔｏｍａｔｅｄ  Ｔｅｌｌｅｒ  Ｍａｃｈｉｎｅ：ＡＴＭ）等に実装される。紙幣取扱装置は、セキュリティ性を高くするために、その一部が金庫内に設置される場合がある。
【０００３】
特許文献１には、「入出金口と紙幣判別部と一時保管庫と上部紙幣搬送路からなる上部ユニットと、紙幣収納庫と下部紙幣搬送路からなる下部ユニットで構成する。上部ユニットは前後いずれにも引き出せるスライド機構を具備する」旨の記載がある。
【先行技術文献】
【特許文献】
【０００４】
【特許文献１】特開２００２−２６００５７号公報
【発明の概要】
【発明が解決しようとする課題】
【０００５】
特許文献１に記載の紙幣入出金機の場合、図１７に示すように、金庫３０の金属板に開けられたスリットに連結搬送部３２を有する構成である。このような構成の場合、金庫３０の筐体外の上部ユニット３Ｕ又は金庫３０の筐体内の下部ユニット３Ｌを引き出すことにより、これらのユニットを連結する連結搬送部３２に滞留した紙幣Ｐを除去することが可能となる。
【０００６】
近年、防犯性を高めるために、金庫壁３０を厚くするようなことが求められている。金庫壁３０を厚くすると、連結搬送部３２が長くなるが、このような場合においても、滞留した紙幣Ｐの除去容易性の向上が求められる。特に、投入された紙幣又は提供される紙幣が収納される接客口を金庫の外部に設けた紙幣取扱装置において、このような除去容易性の向上が求められている。
【０００７】
そこで、本発明では、金庫壁を厚くしても、連結搬送部に滞留した紙幣の除去を容易とする紙幣取扱装置の提供を目的とする。
【課題を解決するための手段】
【０００８】
上記の課題を解決するために、本発明は、現金自動取引装置に搭載される紙幣取扱装置であって、金属製の筺体で構成された金庫と、前記金庫の外部に設けられ、投入された紙幣又は提供される紙幣が収納される接客口を備える上部ユニットと、前記金庫の内部に設けられ、紙幣を収納する紙幣収納庫を備える下部ユニットと、紙幣が搬送される搬送路と、を備え、前記搬送路は、前記金庫の開口部を貫通すると共に、前記金庫の外部又は内部に退避する連結搬送部を有することを特徴とする。
を特徴とする。
【発明の効果】
【０００９】
本発明によれば、連結搬送部が金庫から退避するため、金庫壁を厚くしても、連結搬送部に滞留した紙幣の除去が容易となる。
【図面の簡単な説明】
【００１０】
【図１】現金自動預払機の外観斜視図である。
【図２】現金自動預払機の機能ブロック図である。
【図３】紙幣取扱装置の構成図である（実施例１）。
【図４】紙幣取扱装置の機能ブロック図である。
【図５】上部ユニットの詳細構成図である。
【図６】上連結部の金庫外への退避動作を説明した図である。
【図７】上部ユニットの引出動作を示した図である。
【図８】上部ユニットと下部ユニットとの連結部の詳細構成図である。
【図９】滞留した紙幣が引き出される状態を示した図である。
【図１０】上搬送部の連結時における搬送部の詳細構成図である。
【図１１】上搬送部の退避時における搬送部の詳細構成図である。
【図１２】上連結部の結合時における位置規制部の構成図である。
【図１３】上連結部の結合時における位置規制部の効果を示した図である。
【図１４】紙幣取扱装置の構成図である（実施例２）。
【図１５】下連結部の金庫外への退避動作を説明した図である。
【図１６】下部ユニットの引出動作を示した図である。
【図１７】従来の紙幣取扱装置における引出動作を示した図である。
【発明を実施するための形態】
【００１１】
［実施例１］
以下、図１〜図１３に示した図を用いて、第１の実施形態について詳細に説明する。
図１は、現金自動預払機の外観斜視図である。現金自動預払機１００は、紙幣取扱装置１と、通帳取扱装置１０１と、明細票発行装置１０２と、カード取扱装置１０３と、操作装置１０４と、から構成される。
【００１２】
紙幣取扱装置１は、紙幣を取り扱う装置である。紙幣取扱装置１は、利用者による紙幣の投入及び利用者に対する紙幣の放出を行う入出金口１１を介して、紙幣の入金処理、出金処理、鑑別処理などを実行する。また、紙幣取扱装置１の下部には、紙幣が保管される紙幣収納庫が設けられており、紙幣収納庫は金庫で囲まれている。紙幣取扱装置の詳細な構成については、後述する。
【００１３】
現金自動預払機１００の入金取引において、紙幣取扱装置１は、利用者によって入出金口１１に投入された紙幣を、紙幣収納庫まで搬送し、収納する処理を実行する。また、現金自動預払機１の出金取引において、紙幣取扱装置１は、紙幣収納庫から紙幣を取り出し、当該紙幣を入出金口１１まで搬送して、利用者に払い出す処理を実行する。このように、紙幣取扱装置１は、利用者により投入された紙幣や、利用者に提供する紙幣を入出金口１１に収納すると共に、入出金口１１と紙幣収納庫との間において、紙幣を搬送する。
【００１４】
通帳取扱装置１０１は、通帳を取り扱う装置である。通帳取扱装置１０１は、取引時に使用される通帳の挿入及び排出を実行し、挿入された通帳への印字を実行し、通帳に貼付された磁気ストライプの情報の読取や、磁気ストライプへの情報の書込を実行する。
【００１５】
明細票発行装置１０２は、取引明細票を発行する装置である。明細票発行装置１０２は、明細票発券口を介して、取引明細が印字された明細票の排出を実行する。
【００１６】
カード取扱装置１０３は、磁気ストライプカードやＩＣカードを取り扱う装置である。カード取扱装置１０３は、カード挿入口を介して、取引時に使用される利用者のキャッシュカードなどの挿入及び排出を実行する。また、カードに付加された磁気ストライプやＩＣチップの情報の読取・磁気ストライプやＩＣチップへの情報の書込を実行する。
【００１７】
操作装置１０４は、ＬＣＤ（Ｌｉｑｕｉｄ  Ｃｒｙｓｔａｌ  Ｄｉｓｐｌａｙ）等からなり、利用者へ取引内容や操作案内を表示する表示装置と、暗証番号入力や取引選択等の操作に供される入力装置とから構成される。なお、入力装置には、ボタン式、タッチパネル式等、様々な方式を適用可能であるが、タッチパネル式の入力装置を用いる場合は、タッチパネルとＬＣＤとを重ね合わせた構成としても良い。
【００１８】
なお、図１には示されていないが、硬貨の入金処理、出金処理、鑑別処理などを実行する硬貨処理装置を備えていても良い。
【００１９】
図２は、現金自動預払機１の機能ブロック図である。上述した現金自動預払機１に搭載される各装置は、バス１０５を介して本体制御部１０６と接続されており、本体制御部１０６の制御の下に必要な動作を行う。また、上記各装置は、電源部（図示せず）により電力を供給される。
【００２０】
図３は、本実施形態における紙幣取扱装置１の構成図である。図面において、左側が装置前面側（利用者側）である。紙幣取扱装置１は、金庫１０と、入出金口１１と、連結搬送部としての上搬送部１２と、一時保管庫１３と、返却用一時保管庫１４と、判別部１５と、回収庫１６と、収納庫１７と、下搬送部１８と、を備える。これらの構成の内、入出金口１１と上搬送部１２とは、金庫１０の上部に設置され、その他の構成は、金庫１０内に配置される。なお、入出金口１１と上搬送部１２とを合わせて上部ユニット１Ｕと称し、その他の構成を合わせて下部ユニット１Ｌと称する。
【００２１】
金庫１０は、厚さ２０〜５０ｍｍの金属製の筺体で構成されており、上搬送部１２の一部と、一時保管庫１３と、返却用一時保管庫１４と、判別部１５と、回収庫１６と、収納庫１７と、下搬送部１８とが内部に収納される。
【００２２】
入出金口１１は、紙幣取扱装置１の装置前面側かつ金庫１０の外部に設けられ、利用者により投入された紙幣や、利用者に対して提供される紙幣が収納される。この入出金口１１は、装置前面側が装置後面側より低くなるように傾斜している。入出金口１１は、紙幣が収納される収納部と、収納部を開閉するシャッタと、紙幣を押圧する押板と、収納部内の紙幣を分離する分離ローラと、分離された紙幣を繰り出すフィードローラと、紙幣を集積するシートローラとが設けられている。また、入出金口１１には、収納部内の紙幣を照射する照射手段を設けても良い。
【００２３】
なお、本実施形態においては、利用者により投入された紙幣や、利用者に対して提供される紙幣が収納される入出金口１１としているが、利用者により投入された紙幣、又は利用者に対して提供される紙幣の一方が収納される接客口であれば良い。
【００２４】
上搬送部１２と下搬送部１８とは、紙幣が搬送される搬送路であり、複数の搬送ローラ、搬送ベルト及びガイド板によって構成される。搬送ローラ、搬送ベルトは、モータによって駆動され、任意の速度、任意の方向へ紙幣を搬送するように構成されている。また、上搬送部１２と下搬送部１８には、複数のセンサが設けられており、紙幣の搬送状況の監視や、紙詰まり（紙幣ジャム）の検出が可能である。また、下搬送部１８の分岐点には搬送方向を切り替えるゲートを設けている。さらに、上搬送部１２は、一部が金庫１０の開口部１０Ｅを貫通する構造である。
【００２５】
判別部１５は、搬送された紙幣の金種、真偽及び状態を取得し、判別を実行する装置である。判別部１５は、装置前面側から装置後面側へ搬送される紙幣の判別、及び装置後面側から装置前面側へ搬送される紙幣の判別を実行する。判別は、イメージセンサ（センサ）により、紙幣の図柄等を読み取り、読み取られた画像を処理することにより実行される。そして、判別部１５は、紙幣の金種や真偽の判別結果に基づき、入金された紙幣の搬送先（現金自動預払機１００で受け付けるか、利用者に返却するかを含む）を決定する。
【００２６】
なお、判別部１５は、各々の紙幣の固有情報（例：紙幣に印刷された記番号など）を読み取ることにより、同一の金種、真偽若しくは状態の紙幣が複数であっても、別個の紙幣として認識することが可能である。
【００２７】
一時保管庫１３は、紙幣取扱装置１の装置前面側に設けられる。一時保管庫１３は、入金された紙幣の内、判別部１５において現金自動預払機１００で受け付けることに決定された紙幣を、取引成立までの間、一時的に保管する。一時保管庫１３は、上搬送部１２及び下搬送部１８により搬送された紙幣を集積する動作と、集積された紙幣を１枚ずつ分離して下搬送部１８へ繰り出す動作とを実行する。
【００２８】
返却用一時保管庫１４は、紙幣取扱装置１の装置前面側かつ一時保管庫１３の下側に設けられる。返却用一時保管庫１４は、入金された紙幣の内、判別部１５において利用者に返却するかをことに決定された紙幣を、返却までの間、一時的に保管する。返却用一時保管庫１４は、一時保管庫１３と同様に紙幣の集積動作と繰出動作とを実行する。
【００２９】
すなわち、一時保管庫１３と返却用一時保管庫１４とは、いずれも取引において紙幣を一時的に保管する一時保管庫に相当する。
【００３０】
回収庫１６は、判別部１５において偽券と判別された紙幣を回収したり、入出金口１１に放出された紙幣（入金取引時における返却紙幣や、出金取引時における出金紙幣）の内、や、利用者が取り忘れた紙幣を収納したりする。
【００３１】
紙幣収納庫１７は、紙幣を金種別に収納する収納容器（スタッカ）である。紙幣を収納する場合、紙幣収納庫１７に搭載された集積機構（図示せず）を用いて、下搬送部１８から受け取った紙幣を集積する。また、紙幣を繰り出す場合、紙幣収納庫１７に搭載された分離機構（図示せず）を用いて、集積された紙幣を１枚ずつ分離して下搬送部１８に繰り出す。なお、集積機構と分離機構とを組み合わせた構造（分離集積機構）としても良い。
【００３２】
また、紙幣収納庫１７は、紙幣取扱装置１から取り外すことが可能であり、他の紙幣収納庫からの紙幣回収や、他の紙幣収納庫への紙幣補充などの運用に用いることを可能である。さらに、運用において、紙幣収納庫１７の内、１つの紙幣収納庫を偽札の回収や、利用者により取り忘れられた紙幣（取り忘れ紙幣）の収納に用いることも可能である。
【００３３】
図４は、紙幣取扱装置１の機能ブロック図である。上述した紙幣取扱装置１に搭載される各装置は、紙幣制御部１９と接続されており、紙幣制御部１９の制御の下に必要な動作を行う。すなわち、紙幣制御部１９は、本体制御部１０６からの指令を現金自動預払機１００のバス１０５を介して受信し、当該指令に基づき各機構及び構成部分を制御する。本体制御部１０６の制御の下に必要な動作を行う。また、上記各装置は、電源部（図示せず）により電力を供給される。
【００３４】
次に、紙幣取扱装置１における入金動作について説明する。操作装置１０４において入金取引が選択されたことを検出した場合、本体制御部１０６は、紙幣取扱装置１に対して入金動作の開始を指示する。その後、紙幣制御部１９は、入金動作を実行する。
【００３５】
最初に、紙幣制御部１９は、シャッタを開状態にするように制御する。その後、収納部の内部に紙幣が投入されるまで待機状態となる。紙幣制御部１９は、収納部内部に紙幣が投入されたことをセンサ（図示せず）により検出した後、シャッタを閉状態にするように制御する。
【００３６】
その後、紙幣制御部１９は、入出金口１１より繰り出された紙幣を、判別部１５を通過するように上搬送部１２及び下搬送部１８を制御する。判別部１５は、搬送された紙幣の金種、真偽及び状態を紙幣１枚毎に取得し、紙幣の判別を実行し、判別結果に基づき搬送先を決定する。その後、紙幣制御部１９は、判別部１５を通過した紙幣を、当該判別結果に基づき、一時保管庫１３又は返却用一時保管庫１４に搬送するように下搬送部１８を制御する。具体的には、受付可能と判定された紙幣を一時保管庫１２３へ続く経路に搬送し、返却と判定された紙幣を返却用一時保管庫１４へ続く経路に搬送するように、ゲートを振り分けるように制御する。一時保管庫１３および返却用一時保管庫１４は、下搬送部１８によって搬送された紙幣を受け取り、内部に収納する。
【００３７】
入出金口１１に投入された紙幣が全て搬送された後、紙幣制御部１９は、返却用一時保管庫１４に集積され、１枚ずつ繰り出された紙幣を、入出金口１１に返却するように上搬送部１２及び下搬送部１８を制御する。返却用一時保管庫１４に集積された紙幣を入出金口１１に全て搬送した後、紙幣制御部１９は、シャッタを開状態にするように制御する。これにより、利用者に対して紙幣が返却される。
【００３８】
一方、利用者に対する金額確認と入金取引の最終確認により取引が成立した後、紙幣制御部１９は、一時保管庫１３に集積され、１枚ずつ繰り出された紙幣を、判別部１５を通過するように上搬送部１２及び下搬送部１８を制御する。判別部１５は、再度、搬送された紙幣の金種、真偽及び状態を紙幣１枚毎に取得し、紙幣の判別を実行し、判別結果に基づき搬送先を決定する。その後、紙幣制御部１９は、判別部１５を通過した紙幣を、当該判別結果に基づき、いずれかの紙幣収納庫１７に搬送するように、下搬送部１８を制御する。
【００３９】
次に、紙幣取扱装置１における出金動作について説明する。操作装置１０４において出金取引が選択されたことを検出した場合、本体制御部１０６は、紙幣取扱装置１に対して出金動作の開始を指示する。その後、紙幣制御部１９は、出金動作を実行する。
【００４０】
最初に、紙幣制御部１９は、紙幣収納庫１７に集積され、１枚ずつ繰り出された紙幣を、判別部１５を通過するように下搬送部１８を制御する。このとき、各紙幣収納庫１７は、出金の金額に応じて所定の枚数の紙幣を、タイミングをずらして繰り出す。判別部１５は、搬送された紙幣の金種、真偽及び状態を紙幣１枚毎に取得し、紙幣の判別を実行し、判別結果に基づき搬送先を決定する。その後、紙幣制御部１９は、搬送先が入出金口１１と決定された紙幣を、入出金口１１に搬送するように制御する。なお、判別部１５により、入出金口１１に搬送することが望ましくないと判別された紙幣が生じた場合、各紙幣収納庫１７は、対応する金種の紙幣を追加して繰り出す。
【００４１】
各紙幣収納庫１７から入出金口１１に出金金額に応じた枚数の紙幣をした後、紙幣制御部１９は、シャッタを開状態にするように制御する。これにより、利用者に対して紙幣が払い出される。
【００４２】
続いて、上部ユニット１Ｕの構造について詳細に説明する。図５は、上部ユニット１Ｕの詳細構成図である。図面において、左側が装置前面側である。
【００４３】
上部ユニット１Ｕは、入出金口１１と、上搬送部１２とから構成される。入出金口１１は、シャッタ１１０を備えている。上搬送部１２は、操作レバー１２０と、上下方向への可動部である上連結部１２Ｕと、第一のリンク部１２２と、第二のリンク部１２３と、から構成される。これらの構成の内、第一のリンク部１２２と、第二のリンク部１２３とが連携して動作することにより、上連結部１２Ｕを移動させることが可能となる。また、操作レバー１２０は、作業員が操作するために供される。
【００４４】
上連結部１２Ｕは、上下方向に移動可能であり、移動を案内する案内溝１２Ｇと、可動規制ピン１２Ｐとを備える。また、上連結部１２Ｕを上方向に移動させる際に必要な力を軽減させるために、上方向への弾性力を付勢する補助スプリング１２５を備えている。すなわち、補助スプリング１２５は、連結搬送部の金庫外への退避時に、弾性力を連結搬送部の退避方向に付与することにより、連結搬送部の退避方向に力を付与する補助手段に相当する。また、上部ユニット１Ｕ全体がスライドレール１０Ｓに取り付けられ、スライド引出しが可能な構成となっている。
【００４５】
次に、上連結部１２の退避動作について説明する。上連結部１２の退避は、主に紙幣取扱装置１の保守作業時に行われる。図６、図７は、上連結部１２の金庫１０外への退避動作を説明した図、及び上部ユニット１Ｕの引出動作を示した図である。
【００４６】
図６に示すように、操作レバー１２０が図中Ｘ方向に回動されると、第一のリンク部１２２と、第二のリンク部１２３とを介し、上連結部１２Ｕは、図中矢印Ａ方向へ持ち上げられる。また、この持上げ動作の際に、補助スプリング１２５は、上連結部１２Ｕを持上げる方向に、弾性力を付勢する。そして、上連結部１２Ｕは、連結口１０Ｅを通過し、金庫１０外に退避する。その後、上連結部１２Ｕは、ストッパ（図示せず）によって退避位置で固定される。
【００４７】
さらに、図７に示すように、上連結部１２Ｕが退避位置に固定された後、操作レバー１２０が図中Ｘ方向に動作されると、スライドレール１０Ｓが伸張する。これにより、上部ユニット１Ｕ全体を金庫１０から引き出すことが可能となり、作業員が保守作業をすることが可能となる。
【００４８】
上述のように、連結搬送部としての上搬送部１２を、金庫１０外に退避させる構成であるため、連結搬送部内に紙幣が滞留した場合であっても、滞留した紙幣が金庫１０の厚い壁に隠れることがなく、視認性が向上するため、残留紙幣の取忘れを防止することが可能となる。
【００４９】
また、上述の構成によれば、保守時において、作業員は、図６に示す操作レバー１２０の回動動作と、図７に示す操作レバーの移動動作とを、一括操作（装置前方へ装置レバーを図中Ｘ方向に引く操作）で実施することが可能である。これにより、作業員は、複数の煩雑な操作をする必要が無く、保守時間の短縮や操作ミスの防止を図ることが可能である。
【００５０】
また、連結搬送部としての上搬送部１２と、下搬送部１８との連結部で紙幣が滞留した場合において、上搬送部１２を装置前方に引き出す際に、滞留紙幣に剪断力が作用せず、残留紙幣が除去される際に、紙幣が破損される可能性を低減することが可能である。この点、図１７に示す従来技術においては、連結搬送部３２と、上部ユニット３Ｕ又は下部ユニット３Ｌの連結部との間で紙幣が滞留した場合、上部ユニット３Ｕもしくは下部ユニット３Ｌの引き出し時に、滞留した紙幣Ｐに剪断力Ｆｓが作用する可能性がある。そのため、紙幣Ｐをいずれかのユニットに退避させる必要があった。
【００５１】
図８は、上部ユニット１Ｕと下部ユニット１Ｌの連結部の詳細構成図である。ここで、上部ユニット１Ｕ側の上連結部１２Ｕと、下部ユニット１Ｌ側の下連結部１８Ｌとが連結された状態である。上連結部１２Ｕと下連結部１８Ｌは、それぞれ搬送部を有しており、連結時に紙幣の搬送方向が、上搬送部１２の退避方向に沿うように（略直線状になるように）配置されている。このとき、下連結部１８Ｌは、上搬送部１２（連結搬送部）と連結され、紙幣を搬送する後搬送部に相当する。
【００５２】
上連結部１２Ｕの搬送部と下連結部１８Ｌの搬送部とには、搬送手段として、平ベルトと、弾性体によって押付けられている対のローラとが存在する。このローラを押付ける弾性体に関して、上連結部１２Ｕ側の上部搬送手段１２１に取付けてある弾性体１２１ｓの弾性力Ｒ１は、下連結部１８Ｌ側の下部搬送手段１８１に取付けてある弾性体１８１ｓの弾性力Ｒ２よりも強く設定されている。
【００５３】
上連結部１２Ｕと下連結部１８Ｌの間に紙幣Ｐが滞留した場合、紙幣Ｐは、上連結部１２Ｕ側の上部搬送手段１２１と、下連結部１８Ｌ側の下部搬送手段１８１の両方に挟持されている状態である。
【００５４】
この状態で、図６に示す操作レバー１２０の回動動作がされた場合、連結部１２Ｕは金庫１０外へ退避し、紙幣Ｐには、上部搬送手段１２１の挟持力Ｆ１と下部搬送手段１８１の挟持力Ｆ２とが作用する。ここで、上部搬送手段１２１の弾性体１２１ｓの弾性力Ｒ１は、下部搬送手段１８１の弾性体１８１ｓの弾性力Ｒ２よりも大きいため、上部搬送手段１２１の挟持力Ｆ１は、下部搬送手段１８１の挟持力Ｆ２よりも大きくなる。そのため、図９に示すように、上連結部１２Ｕを金庫１０の連結口１０Ｅから引き出した際に、滞留した紙幣Ｐは、上連結部１２Ｕと共に引き出される。
【００５５】
また、上述のように、上連結部１２Ｕと下連結部１８Ｌはそれぞれ搬送部を有し、連結時に紙幣の搬送方向が略同一（略直線状）になるように配置されている。そして、図８、図９に示すように、上連結部１２Ｕ及び下連結部１８Ｌにおける紙幣の搬送方向と、金庫１０から退避される際の上部ユニット１Ｕの引出方向とを略同一としている。このような構成を採用することにより、滞留紙幣Ｐには剪断力が作用しないため、残留紙幣が除去される際に、紙幣が破損される可能性が低減される。
【００５６】
図１０、図１１は、上搬送部１２Ｕの連結時における搬送部の詳細構成図、及び上搬送部１２Ｕの退避時における搬送部の詳細構成図である。
【００５７】
上搬送部１２は、紙幣を略上下方向に搬送する、第一の搬送部としての上連結部１２Ｕと、紙幣を略水平方向に搬送する、第二の搬送部としての水平搬送部１２Ｈとの二つの搬送部で構成される。上連結部１２Ｕ及び水平搬送部１２Ｈは、それぞれ、上部搬送手段１２１及び水平搬送手段１２６を有している。
【００５８】
上部搬送手段１２１は、弾性体によって押付けられている対のローラと、平ベルト１２１Ｂと、搬送ガイド１２１Ｇとから構成される。また、水平搬送手段１２６は、弾性体によって押付けられている対のローラと、平ベルト１２６Ｂと、搬送ガイド１２６Ｇとから構成される。
【００５９】
ここで、上部搬送手段１２１の平ベルト１２１Ｂと、水平搬送手段１２６の平ベルト１２６Ｂとは、それぞれ分割されている。同様に、上部搬送手段１２１の搬送ガイド１２１Ｇと、水平搬送手段１２６の搬送ガイド１２６Ｇとは、それぞれ分割されている。
【００６０】
図１０に示すように、上連結部１２Ｕと下連結部１８Ｌとが連結されている状態において、水平搬送部１２Ｈと上連結部１２Ｕとは、図中破線で示す上搬送部１２の搬送部を形成する。一方、図１１に示すように、上連結部１２Ｕが下連結部１８Ｌから退避する場合、上連結部１２Ｕのみ図中Ａ方向へ移動する。
【００６１】
このように、上搬送部１２は、第一の搬送部としての上連結部１２Ｕと、第二の搬送部としての水平搬送部１２Ｈとの２つの搬送部に分割され、上連結部１２Ｕのみが退避可能な構成となっている。このため、上搬送部１２全体が引き出されることが無く、その一部である上連結部１２Ｕのみが引き出されるため、上部ユニット１Ｕが引き出される際に必要な力を軽減させることが可能となり、作業員による保守作業が容易となる。
【００６２】
また、作業員による保守作業が終了した後に、上連結部１２Ｕと下連結部１８Ｌとを再度連結させる必要がある。上連結部１２Ｕと下連結部１８Ｌとが正常な位置にて連結されないと、連結不良が発生し、紙幣が搬送される際に、ジャム等の搬送障害が発生するおそれがある。
【００６３】
そこで、上連結部１２Ｕは、下連結部１８Ｌとの位置規制部（第一の位置規制部）を備え、下連結部１８Ｌは、上連結部１２Ｕとの位置規制部（第二の位置規制部）を備えている。図１２は、上連結部の結合時における位置規制部の構成図である。具体的には、上連結部１２Ｕに位置決めローラ１２４を設け、下連結部１８Ｌに位置決めローラ１２４と当接する斜面を持つ案内部１８２を設けている。また上連結部１２Ｕは、図中Ｘ方向に所定量の稼動を許容する構成となっている。
【００６４】
連結不良が発生する可能性がある例として、図１３に示すように、図中Ｘ方向に距離δ分ずれた状態で、上連結部１２Ｕが挿入される状態を説明する。このような場合、上連結部１２Ｕが図中Ｃ方向に挿入されると、位置決めローラ１２４が案内部１８２に接触する。そして、位置決めローラ１２４には、案内部１８２との接触力Ｆが作用する。この接触力Ｆの図中Ｘ方向の成分Ｆｘにより、上連結部１２Ｕは正常な連結位置へと案内される。
【００６５】
このように、上連結部１２Ｕと下連結部１８Ｌとのそれぞれに、連結時に接触することで、上連結部１２Ｕの結合位置を規制する位置規制部が備えられ、再連結時に、誤った位置への上連結部１２Ｕの結合を防止することが可能となっている。
【００６６】
以上説明したように、本実施形態における紙幣取扱装置１によれば、金庫１０外の上部ユニット１Ｕと金庫１０内の下部ユニット１Ｌとを連結する連結搬送部（上搬送部１２）内に紙幣が滞留した場合であっても、連結搬送部が金庫筺体から退避するため、金庫壁を厚くしても、連結搬送部に滞留した紙幣の除去が容易となる。また、上部ユニット１Ｕを引き出すことにより、連結搬送部に滞留した紙幣の視認性が向上する。
【００６７】
また、連結搬送部の金庫筐体外への退避、引き出しが、一つの手段（操作レバー）によって実現可能であるため、上部ユニット１Ｕの引き出しが容易である。そして、連結搬送部の金庫外への退避時に、弾性力を連結搬送部の退避方向に付与することにより、連結搬送部の退避方向に力を付与する補助手段により、作業員による連結搬送部の退避操作が容易となる。
【００６８】
また、連結搬送部と装置内へ紙幣を搬送する搬送部（下搬送部１８）との連結部で紙幣が滞留した場合であっても、滞留紙幣に剪断力が作用しないため、残留紙幣が除去される際に、紙幣が破損される可能性を低減される。
【００６９】
また、本実施形態における連結搬送部は、第一の搬送部（上連結部１２Ｕ）と、第二の搬送部（水平搬送部１２Ｈ）とに分割され、第一の搬送部のみ退避可能な構成となっている。そのため、作業員が連結搬送部全体を持ち上げる必要が無く、作業員の操作力を低減させることが可能となり、保守作業が容易となる。
【００７０】
さらに、連結搬送部と装置内へ紙幣を搬送する搬送部とに、それぞれ連結時に接触することで連結搬送部の連結位置を規制する位置規制部を有し、再連結時に、誤った位置への結合を防止することが可能となっている。これにより、連結不良による紙幣搬送の障害を抑えることが可能となる。
［実施例２］
以下、図１４〜図１６に示した図を用いて、第２の実施形態について詳細に説明する。なお、以下では、第１の実施形態との相違点についてのみ説明し、第１の実施形態と同一の機構については、同じ番号を用いて説明する。
【００７１】
図１４は、本実施形態における紙幣取扱装置２の構成図である。第１の実施形態と同様に、金庫１０内に配置される。なお、入出金口１１と上搬送部２２とを合わせて上部ユニット２Ｕと称し、その他の構成を合わせて下部ユニット２Ｌと称する。
【００７２】
金庫１０は、一時保管庫１３と、返却用一時保管庫１４と、判別部１５と、回収庫１６と、収納庫１７と、下搬送部２８の一部とが内部に収納される。
【００７３】
下部ユニット２Ｌには、連結搬送部としての下搬送部２８を備えている。下搬送部２８は、一部が金庫１０の開口部１０Ｅを貫通する構造である。また、下搬送部２８は、操作レバー２２０と、上下方向への可動部である下連結部２８Ｌと、第一のリンク部２２２と、第二のリンク部２２３と、から構成される。これらの構成の内、第一のリンク部２２２と、第二のリンク部２２３とが連携して動作することにより、下連結部２８Ｌを移動させることが可能となる。また、操作レバー２２０は、作業員が操作するために供される。また、下部ユニット２Ｌ全体がスライドレール２０Ｓに取り付けられ、スライド引出しが可能な構成となっている。
【００７４】
次に、下部ユニット２Ｌの退避動作について説明する。下部ユニット２Ｌの退避は、主に紙幣取扱装置２の保守作業時に行われる。図１５、図１６は、下連結部２８の金庫１０外への退避動作を説明した図、及び下部ユニット２Ｌの引出動作を示した図である。
【００７５】
図６に示すように、操作レバー２２０が図中Ｘ方向に回動されると、第一のリンク部２２２と、第二のリンク部２２３とを介し、下連結部２８Ｌは、図中矢印Ｄ方向へ移動する。この動作により、下連結部２８Ｌは、連結口１０Ｅを通過し、金庫１０の筺体内部に退避する。その後、下連結部２８Ｌは、ストッパ（図示せず）によって退避位置で固定される。
【００７６】
さらに、図１６に示すように、下連結部２８Ｌが退避位置に固定された後、操作レバー２２０が図中Ｘ方向に動作されると、スライドレール２０Ｓが伸張する。これにより、下部ユニット２Ｌ全体を金庫１０から引き出すことが可能となり、作業員が保守作業をすることが可能となる。
【００７７】
上述のように、連結搬送部としての下搬送部２８を、金庫１０の筺体内部に退避させる構成であるため、連結搬送部内に紙幣が滞留した場合であっても、滞留した紙幣が金庫１０の厚い壁に隠れることがなく、視認性が向上するため、残留紙幣の取忘れを防止することが可能となる。
【００７８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００７９】
１：紙幣取扱装置、１０：金庫、１１：入出金口、１２、２２：上搬送部、１３：一時保管庫、１４：返却用一時保管庫、１５：判別部、１６：回収庫、１７：紙幣収納庫、１８、２８：下搬送部、１２０、２２０：操作レバー、１２１：上部搬送手段、１２４：位置決めローラ、１２５：補助スプリング、１２６：水平搬送手段、１２Ｕ、２２Ｕ：上連結部、１８Ｌ、２８Ｌ：下連結部
【図１】
2015225621.tif 000003
【図２】
2015225621.tif 000004
【図３】
2015225621.tif 000005
【図４】
2015225621.tif 000006
【図５】
2015225621.tif 000007
【図６】
2015225621.tif 000008
【図７】
2015225621.tif 000009
【図８】
2015225621.tif 000010
【図９】
2015225621.tif 000011
【図１０】
2015225621.tif 000012
【図１１】
2015225621.tif 000013
【図１２】
2015225621.tif 000014
【図１３】
2015225621.tif 000015
【図１４】
2015225621.tif 000016
【図１５】
2015225621.tif 000017
【図１６】
2015225621.tif 000018
【図１７】
2015225621.tif 000019